(57)【特許請求の範囲】
【請求項１】
電子機器において、
情報を表示する表示画面と該表示画面を照明するための光源とを備えた表示パネルと、
前記光源の点灯を制御する点灯制御回路が搭載された回路基板と、
前記回路基板を支持する基板支持部を有し該回路基板を隠蔽した状態に内蔵するとともに前記表示パネルを前記表示画面前面を露出した状態に内蔵する筐体とを備え、
前記表示パネルが、光源の数が異なる複数の表示パネルの中から選択された表示パネルであり、
前記回路基板が、前記複数の表示パネルの中から第１の表示パネルが選択されるときに選択される相対的に小面積の第１の回路基板と前記複数の表示パネルの中から第２の表示パネルが選択されるときに選択される相対的に大面積の第２の回路基板とのうちの一方の回路基板であって、
前記基板支持部が、前記第１の回路基板を支持する第１の支持構造と前記第２の回路基板を支持する第２の支持構造とを有し、
前記回路基板が、前記点灯制御回路を構成する回路部品が搭載された表面を有し、
前記第１の支持構造は、前記第１の回路基板を、前記表示画面と同じ向きに表面を向けた状態で支持する支持爪を有するものであり、
前記第２の支持構造は、前記第２の回路基板を、前記表示画面とは裏向きに表面を向けた状態で載せる台を有するものであることを特徴とする電子機器。
【請求項２】
前記筐体が、前記表示パネルよりも大面積であって、該表示パネルを収容する背面板と、該表示パネルの周囲を該表示画面前面側から覆う前枠とを有し、
前記基板支持部は、前記背面板の、前記表示パネルとの重なりを避けた位置に設けられていることを特徴とする請求項１記載の電子機器。
【請求項３】
前記筐体が開閉自在に連結された第２の筐体を備えたことを特徴とする請求項１または２記載の電子機器。
【請求項４】
前記第２の筐体が、演算回路を内蔵し操作に応じた指示を入力するキーボードを上面に備えた演算ユニットを構成する筐体であることを特徴とする請求項３記載の電子機器。
【請求項５】
前記第２の回路基板は幅および長さが、前記第１の回路基板の幅および長さよりも大きいものであり、
前記第１の回路基板および前記第２の回路基板の双方とも、前記表面側に搭載されている部品の高さが、該表面に対する裏面側に搭載されている部品の高さよりも高いものであり、
前記第２の支持構造は、前記第２の回路基板を、前記第１の回路基板が前記第１の支持構造によって支持される位置よりも前記表示パネルの表示画面側の位置で支持するものであることを特徴とする請求項１から４のうちいずれか１項記載の電子機器。
【請求項６】
前記第２の回路基板は幅が、前記第１の回路基板の幅よりも大きいものであり、
前記台は、相対する一対の立壁部で構成され、
前記一対の立壁部は、前記第１の回路基板の幅より広くかつ前記第２の回路基板の幅より狭い間隔で設けられている、ことを特徴とする請求項１から５のうちいずれか１項記載の電子機器。
【請求項７】
前記支持爪は、前記一対の立壁部の一方に設けられ、該一方の立壁部から他方の立壁部に向かって突出しており、
前記第１の支持構造は、前記一対の立壁部の間に設けられた受止部を有し、
前記第１の回路基板は、前記表面が前記支持爪で支持されると共に該第１の回路基板の裏面が前記受止部により支持される、ことを特徴とする請求項６記載の電子機器。
【請求項８】
情報を表示する表示画面と該表示画面を照明するための光源とを備えた表示パネルを該表示画面前面を露出した状態で収納する表示パネル用筐体において、
前記表示パネルが、光源の数が異なる複数の表示パネルの中から選択された表示パネルであり、
前記光源の点灯を制御する点灯制御回路が搭載され、前記複数の表示パネルの中から第１の表示パネルが選択されるときに選択される相対的に小面積の第１の回路基板と前記複数の表示パネルの中から第２の表示パネルが選択されるときに選択される相対的に大面積の第２の回路基板とのうちの一方の回路基板を支持する基板支持部であって、前記第１の回路基板を支持する第１の支持構造と前記第２の回路基板を支持する第２の支持構造とを有する基板支持部を備え、
前記回路基板が、前記点灯制御回路を構成する回路部品が搭載された表面を有し、
前記第１の支持構造は、前記第１の回路基板を、前記表示画面と同じ向きに表面を向けた状態で支持する支持爪を有するものであり、
前記第２の支持構造は、前記第２の回路基板を、前記表示画面とは裏向きに表面を向けた状態で載せる台を有するものであることを特徴とする表示パネル用筐体。
【請求項９】
前記表示パネルよりも大面積であって、該表示パネルを収容する背面板と、該表示パネルの周囲を該表示画面前面側から覆う前枠とを有し、
前記基板支持部は、前記背面板の、前記表示パネルとの重なりを避けた位置に設けられていることを特徴とする請求項８記載の表示パネル用筐体。
【請求項１０】
前記第２の回路基板は幅および長さが、前記第１の回路基板の幅および長さよりも大きいものであり、
前記第１の回路基板および前記第２の回路基板の双方とも、前記表面側に搭載されている部品の高さが、該表面に対する裏面側に搭載されている部品の高さよりも高いものであり、
前記第２の支持構造は、前記第２の回路基板を、前記第１の回路基板が前記第１の支持構造によって支持される位置よりも前記表示パネルの表示画面側の位置で支持するものであることを特徴とする請求項８または９記載の表示パネル用筐体。
【請求項１１】
前記第２の回路基板は幅が、前記第１の回路基板の幅よりも大きいものであり、
前記台は、相対する一対の立壁部で構成され、
前記一対の立壁部は、前記第１の回路基板の幅より広くかつ前記第２の回路基板の幅より狭い間隔で設けられている、ことを特徴とする請求項８から１０のうちいずれか１項記載の表示パネル用筐体。
【請求項１２】
前記支持爪は、前記一対の立壁部の一方に設けられ、該一方の立壁部から他方の立壁部に向かって突出しており、
前記第１の支持構造は、前記一対の立壁部の間に設けられた受止部を有し、
前記第１の回路基板は、前記表面が前記支持爪で支持されると共に該第１の回路基板の裏面が前記受止部により支持される、ことを特徴とする請求項１１記載の表示パネル用筐体。
【発明の詳細な説明】
【技術分野】
【０００１】
本発明は、情報を表示する表示画面とその表示画面を背面から照明するための光源とを具備した表示パネルを備えた電子機器、および、そのような表示パネルを収納する表示パネル用筐体に関する。
【背景技術】
【０００２】
近年、パーソナルコンピュータ（以下では、パソコンあるいはＰＣと略記する）が、オフィスのみでなく家庭内にも広く普及してきている。このパソコンの一形態として、上面にキーボードを備えた本体ユニットと、その本体ユニットにヒンジ部材で開閉自在に連結されるとともに表示パネルを備えた表示ユニットとを有し、使用時には本体ユニットに対し表示ユニットを立てた位置に開き、不使用時には表示画面がキーボード上に重なるよう折り畳んでおく、いわゆるノート型パーソナルコンピュータ（以下、ノートＰＣと略記する）が広く知られている。
【０００３】
ここで、上記表示パネルには、情報を表示する表示画面と、その表示画面を背面から照明するためのバックライト用の光を発する光源とが備えられている。近年、ノートＰＣの益々の多種多様化に伴い、表示ユニットにおいても、バックライト用の光を発する光源を一灯備えた表示パネルと、バックライト用の光を発する光源を二灯備えた表示パネルとの中から、そのノートＰＣの機種や機能に見合った表示パネルを選択し、選択された表示パネルを表示ユニットに備えるということが行なわれている。ここで、バックライト用の光を発する光源を一灯備えた表示パネルを選択した場合は、一灯の光源の点灯を制御する点灯制御回路が搭載された相対的に小面積の回路基板が用いられる。一方、バックライト用の光を発する光源を二灯備えた表示パネルを選択した場合は、二灯の光源の点灯を制御する点灯制御回路が搭載された相対的に大面積の回路基板が用いられる。
【０００４】
ここで、ノートＰＣの表示ユニットに、小面積の回路基板を搭載するための回路基板搭載部と、大面積の回路基板を搭載するための回路基板搭載部との双方を別々に備えると、表示ユニットに大きなスペースが必要となる。従って、ノートＰＣの小型化の要請に対応することは困難である。
【０００５】
従来より、異なるサイズの電子部品を搭載するための技術がいくつか提案されている。
【０００６】
例えば、特許文献１には、配線基板の表面に形成される配線パターンの構造を工夫することにより、その配線基板上に異なるサイズの半導体チップを選択自在に搭載することができる技術が提案されている。
【０００７】
また、特許文献２には、回路基板の半導体搭載部に開孔部を設け、その開孔部に半導体を納めることにより、高密度化を実現することができる技術が提案されている。
【０００８】
さらに、特許文献３には、回路基板の表裏に半導体を実装するとともに、その回路基板の表に実装される半導体と裏に実装される半導体の各々の外部リード端子を同一スルーホールにて接続することにより、外部リード端子に生じる静電容量およびスルーホールを減少することができる技術が提案されている。
【０００９】
また、特許文献４には、回路基板上に中心線を挟んで対向するように２つの半導体チップを配置することにより電気的にバランスのとれた接続を行なうことができる技術が提案されている。
【特許文献１】特開２００３−６０１１０号公報
【特許文献２】特開平３−２７９８５号公報
【特許文献３】特開昭５７−７１１９６号公報
【特許文献４】特開２００１―２４１４６号公報
【発明の開示】
【発明が解決しようとする課題】
【００１０】
しかし、上述した特許文献１に提案された、配線パターンの構造が工夫された配線基板上に異なるサイズの半導体チップを選択自在に搭載する技術では、配線基板自体のサイズは大きく、従って省スペース化を実現することは困難である。
【００１１】
また、特許文献２に提案された、回路基板の半導体搭載部に設けられた開孔部に半導体を納める技術では、高密度化を実現することはできるものの、この特許文献２には、異なるサイズの半導体を収めるための省スペース化については言及されていない。
【００１２】
さらに、特許文献３に提案された、回路基板の表裏に実装される各半導体の外部リード端子を同一スルーホールにて接続する技術では、外部リード端子に生じる静電容量およびスルーホールを減少することはできるものの、異なるサイズの半導体を実装するための省スペース化については言及されていない。
【００１３】
また、特許文献４に提案された、回路基板上に中心線を挟んで対向するように２つの半導体チップを配置する技術では、電気的にバランスのとれた接続を行なうことはできるものの、この特許文献４には、異なるサイズの半導体チップを配置するための省スペース化については言及されていない。
【００１４】
本発明は、上記事情に鑑み、省スペース化が図られた電子機器および表示パネル用筐体を提供することを目的とする。
【課題を解決するための手段】
【００１５】
上記目的を達成する本発明の電子機器は、電子機器において、
情報を表示する表示画面とその表示画面を照明するための光源とを備えた表示パネルと、
上記光源の点灯を制御する点灯制御回路が搭載された回路基板と、
上記回路基板を支持する基板支持部を有しその回路基板を隠蔽した状態に内蔵するとともに上記表示パネルを上記表示画面前面を露出した状態に内蔵する筐体とを備え、
上記表示パネルが、光源の数が異なる複数の表示パネルの中から選択された表示パネルであり、
上記回路基板が、上記複数の表示パネルの中から第１の表示パネルが選択されるときに選択される相対的に小面積の第１の回路基板と上記複数の表示パネルの中から第２の表示パネルが選択されるときに選択される相対的に大面積の第２の回路基板とのうちの一方の回路基板であって、
上記基板支持部が、上記第１の回路基板を支持する第１の支持構造と上記第２の回路基板を支持する第２の支持構造とを有することを特徴とする。
【００１６】
本発明の電子機器は、回路基板を指示する基板支持部が、相対的に小面積の第１の回路基板を支持する第１の支持構造と、相対的に大面積の第２の回路基板を支持する第２の支持構造とを有するものである。このため、上記第１の回路基板と上記第２の回路基板のうちのいずれの回路基板が選択された場合であっても、その選択された回路基板を、１つの基板支持部で支持することができる。従って、表示パネルを内蔵する筐体に、上記第１の回路基板を支持するための基板支持部と上記第２の回路基板を支持するための基板支持部との双方を別々に備えた場合と比較し、上記筐体のスペースを小さく抑えることができる。
【００１７】
ここで、上記回路基板が、上記点灯制御回路を構成する回路部品が搭載された表面を有し、
上記第１の支持構造は、上記第１の回路基板を、上記表示画面と同じ向きに表面を向けた状態で支持する支持爪を有するものであり、
上記第２の支持構造は、上記第２の回路基板を、上記表示画面とは裏向きに表面を向けた状態で載せる台を有するものであることが好ましい。
【００１８】
このように、第１の回路基板が選択された場合は、その第１の回路基板の表面を上に向けて第１の支持構造の爪で支持し、第２の回路基板が選択された場合は、その第２の回路基板の表面を下に向けて第２の支持構造の台に載せて支持すると、基板支持部の上下のスペースを有効に利用して、第１，第２の回路基板のうちの選択されたいずれの回路基板であっても支持することができる。
【００１９】
また、上記筐体が、上記表示パネルよりも大面積であって、その表示パネルを収容する背面板と、その表示パネルの周囲をその表示画面前面側から覆う前枠とを有し、
上記基板支持部は、上記背面板の、上記表示パネルとの重なりを避けた位置に設けられていることも好ましい態様である。
【００２０】
このようにすると、表示パネルと重なる位置に設けた場合と比べ、薄型化に寄与し、また基板支持部で支持された回路基板と表示パネルとの間を比較的短い配線で接続することができる。
【００２１】
さらに、上記筐体が開閉自在に連結された第２の筐体を備えたことも好ましい。
【００２２】
このようにすると、本発明を、例えばノート型パーソナルコンピュータ等に好適に適用することができる。
【００２３】
また、上記第２の筐体が、演算回路を内蔵し操作に応じた指示を入力するキーボードを上面に備えた演算ユニットを構成する筐体であることも好ましい。
【００２４】
このようにすると、本発明を、薄型化，小型化の要請が強い、キーボードを上面に備えた演算ユニットを有する入力機器等の電子機器に好適に適用することができる。
【００２５】
また、上記電子機器の表示パネルを収納する筐体である表示パネル用筐体も本発明の特徴である。
【発明の効果】
【００２６】
本発明によれば、省スペース化が図られた電子機器および表示パネル用筐体を提供することができる。
【発明を実施するための最良の形態】
【００２７】
以下、本発明の実施形態について説明する。以下では、本発明の電子機器の一例であるノートＰＣを取り上げて説明する。
［全体構成］
図１は、ノートＰＣの外観を示す、開状態の斜視図、図２は、そのノートＰＣの閉状態の斜視図、図３は、このノートＰＣの閉状態の底面側を見た斜視図である。
【００２８】
このノートＰＣ１は、本体ユニット１０と表示ユニット２０とで構成されており、表示ユニット２０は、ヒンジ部材３０により、本体ユニット１０上に重畳した閉状態（図２参照）と本体ユニット１０から開いた開状態（図１参照）との間で開閉自在に連結されている。
【００２９】
本体ユニット１０には、その上面に、操作に応じた指示を入力するキーボード１１や、操作に応じて、後述する表示画面２１ａ上の任意のポイントを指示するポインティングデバイスの一種であるトラックパッド１２や、ロック用のフック２２１が入り込む係合穴１３が配置されている。
【００３０】
また、この本体ユニット１０の左側面には、図１に示すように、ＣＤやＤＶＤ等の記憶媒体が装填され装着された記憶媒体をドライブするＣＤ／ＤＶＤドライブユニット１４が備えられている。
【００３１】
さらに、この本体ユニット１０には、ＣＰＵやその他多数の電子部品が内蔵されており、プログラムの実行により様々な演算処理が行なわれる。
【００３２】
また、この本体ユニット１０には、ＣＰＵ等からの発熱を吸収する、後述する放熱ユニットが備えられている。
【００３３】
一方、表示ユニット２０には、その前面に、表示パネル２１を構成する表示画面２１ａが配置されており、その表示画面２１ａの周囲が前枠２６で覆われている。また、この表示ユニット２０の前面の、表示画面２１ａの上縁よりも上の位置には前枠２６からロック用のフック２２１が突出している。このフック２２１は、この表示ユニット２０を本体ユニット１０上に閉じたときに本体ユニット１０の上面の係合穴１３に入り込み、表示ユニット２０が本体ユニット１０から不用意に開かないようにその係合穴１３内で係止される。
【００３４】
さらに、表示ユニット２０の上端面には、ロック解除用の操作子２２２が配置されており、この操作子２２２を押すとフック２２１がロック解除方向に移動し、図２に示す閉状態にあるときにこの操作子２２２を押すことによりフック２２１を係合穴１３から外し、表示ユニット２０を開くことができる。
【００３５】
また、本体ユニット１０の底面には、図３に示すように、後での説明に必要な構成要素としては、本体ユニット１０に内蔵されている電子部品等に電力を供給する電池１５と、ハードディスクドライブユニット（以下、ＨＤＤと称する）が収納されたＨＤＤ収納部を覆うＨＤＤ収納部用カバー１６と、メモリが搭載されたメモリ基板が収納されたメモリ基板収納部を覆うメモリ基板収納部用カバー１７とが配置されている。
【００３６】
以上はノートＰＣ全体の概要説明であり、以下ではこのノートＰＣの各部の詳細について説明する。
［ＨＤＤ収納部用カバーの構造］
図４は、ノートＰＣの本体ユニットの底面の一部を、電池を外して示した図、図５は、本体ユニットの底面の一部を、電池およびＨＤＤ収納部用カバーを外して示した図である。
【００３７】
図４に示すように、ノートＰＣ１の本体ユニット１０底面から電池１５を外すと、そこに本体ユニット１０の筐体に設けられた、電池１５を着脱可能に収納する電池収納部１０ａがあらわれる。また、図５に示すように、電池１５を外した状態で、ノートＰＣ１の本体ユニット１０底面から、後述するようにして、ＨＤＤ収納部用カバー１６を外すと、そこに本体ユニット１０の筐体に設けられた、ＨＤＤ収納部１０ｂに収納されたＨＤＤ４０があらわれる。また、この図５に示すように、ＨＤＤ収納部用カバー１６は、爪部１６ａおよび係合部１６ｂを有する。
【００３８】
図６は、ＨＤＤ収納部用カバーが有する爪部を拡大して示す図、図７は、ＨＤＤ収納部用カバーが有する係合部を拡大して示す図である。
【００３９】
図６に示すＨＤＤ収納部用カバー１６が有する爪部１６ａは、ＨＤＤ収納部１０ｂが有する係合部に係合する。また、図７に示すＨＤＤ収納部用カバー１６が有する係合部１６ｂは、ＨＤＤ収納部１０ｂが有する爪部と係合する。詳細には、ＨＤＤ収納部用カバー１６は、ＨＤＤ収納部１０ｂに収納されたＨＤＤ４０を覆い、取外し不能なロック位置と取外し可能なアンロック位置との間で移動自在であって、電池収納部１０ａに電池１５が収納された状態でロック位置からアンロック位置への移動が抑止され、電池収納部１０ａから電池１５が取り外された状態でロック位置からアンロック位置への移動が許容される。具体的には、電池収納部１０ａに電池１５が収納された状態では、ＨＤＤ収納部用カバー１６の爪部１６ａがＨＤＤ収納部１０ｂの係合部に係合するとともに、ＨＤＤ収納部用カバー１６の係合部１６ｂがＨＤＤ収納部１０ｂの爪部と係合している。従って、ＨＤＤ収納部用カバー１６は、取外し不能なロック位置にある。ここで、電池収納部１０ａから電池１５を取り外して、ＨＤＤ収納部用カバー１６を図５の右側に移動させる。すると、ＨＤＤ収納部用カバー１６の爪部１６ａとＨＤＤ収納部１０ｂの係合部との係合が外れるとともに、ＨＤＤ収納部用カバー１６の係合部１６ｂとＨＤＤ収納部１０ｂの爪部との係合も外れる。従って、ＨＤＤ収納部用カバー１６の、ロック位置からアンロック位置への移動が許容される。
【００４０】
ここで、従来の、電池を取り外すことなくＨＤＤ収納部用カバーを取り外してＨＤＤを交換することができるノートＰＣでは、メンテナンス時等において、誤ってノートＰＣの電源をオン状態にしたまま気づかずに、あるいは故障等で電源が投入されたまま、ＨＤＤを交換することが考えられる。このような場合に、ＨＤＤを着脱すると、そのＨＤＤが電池から供給される電力で劣化したり損傷したりする恐れがある。本実施形態では、ＨＤＤ４０の交換を行なう場合、先ず電池１５を取り外し、次いでＨＤＤ収納部用カバー１６を取り外してＨＤＤ４０を交換するという作業手順が必須となる。このようにすることにより、電池１５が取り外される前にＨＤＤ４０の交換を行なってしまい、その結果、電池１５から供給される電力でＨＤＤ４０が劣化したり損傷したりすることを防止することができる。
【００４１】
また、図５に示すように、電池収納部１０ａの電池着脱面と、ＨＤＤ収納部用カバー１６の取付面はノートＰＣ１の同一面（底面）に形成されている。このため、メンテナンス時等においてＨＤＤ４０の交換を行なう場合、作業性を高めることができる。また、ノートＰＣ１の同一面における、ＨＤＤ収納部用カバー１６の、取外し不能なロック位置から取外し可能なアンロック位置への移動が許容される部分（スライドしろ）は、電池１５で覆われるため、外観性が高められている。さらに、電池１５の露出面とＨＤＤ収納部用カバー１６は、ノートＰＣ１の外形を画定する本体ユニット１０の一部を成すものであるため、本体ユニット１０の材料が少なくて済み、従ってノートＰＣ１のコストの削減が図られている。
【００４２】
上述したように、このノートＰＣ１は、電池１５が取り外された状態でなければＨＤＤ収納部用カバー１６を取り外すことはできず、またＨＤＤ収納部用カバー１６の移動が許容されるスライドしろは電池１５で覆われるものの、メモリ基板収納部用カバー１７（図３参照）は、ＨＤＤ収納部用カバー１６が取り外された状態でなくても、この図３の左上にスライドさせて取り外すことができ、またメモリ基板収納部用カバー１７の移動が許容されるスライドしろは、このノートＰＣ１の底面にあらわれている。
【００４３】
そこで、ＨＤＤ収納部用カバー１６が取り外された状態でなければメモリ基板収納部用カバー１７を取り外すことはできず、またメモリ基板収納部用カバー１７の移動が許容されるスライドしろは電池１５で覆われる変形例について、図８，図９を参照して説明する。
【００４４】
図８は、図３に示すノートＰＣとは異なるノートＰＣの、閉状態の底面側を見た斜視図、図９は、図８に示すノートＰＣの本体ユニット底面を、電池とＨＤＤ収納部用カバーとメモリ基板収納部用カバーとを外して示した図である。
【００４５】
尚、図３に示すノートＰＣ１の構成要素と同じ構成要素には同一の符号を付し、異なる点について説明する。
【００４６】
図８に示すノートＰＣ２には、メモリ基板収納部用カバー１８が備えられている。このメモリ基板収納部用カバー１８は、図９に示すメモリ１９ａが実装されたメモリ基板１９を着脱可能に収納するメモリ基板基板収納部１０ｃに収納されたメモリ基板１９を覆うものである。また、このメモリ基板収納部用カバー１８は、ＨＤＤ収納用カバー１６が取り付けられた状態でロック位置からアンロック位置への移動が抑止され、ＨＤＤ収納部用カバー１６が取り外された状態でロック位置からアンロック位置への移動が許容される。このため、メンテナンス時等においてメモリ基板１９の交換を行なう場合、先ず電池１５を取り外し、次いでＨＤＤ収納部用カバー１６を取り外し、さらにメモリ基板収納部用カバー１８を取り外してメモリ基板１９を交換するという作業手順が必須となる。従って、電池１５から供給される電力でメモリ基板１９に実装されているメモリ１９ａ等の電子部品が劣化したり損傷したりすることを防止することができる。また、この図８に示すように、ノートＰＣ１の底面における、メモリ基板収納部用カバー１８の、取外し不能なロック位置から取外し可能なアンロック位置への移動が許容される部分Ａ（スライドしろ）は、このメモリ基板収納部用カバー１８で覆われるため、外観性が高められている。
【００４７】
以上で、図８，図９を参照した変形例についての説明を終了し、以下では、図８，図９を除くノートＰＣ１に戻って説明を続ける。
［ＨＤＤ取付用部品］
図１０は、ＨＤＤ取付用部品が取り付けられたＨＤＤを表面からみた斜視図、図１１は、ＨＤＤ取付用部品が取り付けられたＨＤＤを裏面からみた斜視図である。
【００４８】
図１０，図１１に示すように、ＨＤＤ４０にはＨＤＤ取付用部品４１が取り付けられている。このＨＤＤ４０は、図１０に示すように、両側面４０ａ，４０ａ’と、前端４０ｂと、後端４０ｃとを有する。このＨＤＤ取付用部品４１は板金で一体成形されている。従って、ＨＤＤ取付用部品４１の製造コストの削減化が図られるとともに薄型化および軽量化が実現されている。また、ＨＤＤ取付用部品４１にバネ性を持たせるということも実現されている。
【００４９】
このＨＤＤ取付用部品４１は、ＨＤＤ４０の両側面４０ａ，４０ａ’に沿って延びＨＤＤ４０に固定される、ＨＤＤ４０の高さ以下の幅を有する一対の部品固定部４１ａ，４１ａ’を有する。
【００５０】
また、このＨＤＤ取付用部品４１は、一対の部品固定部４１ａ，４１ａ’に連続してＨＤＤ４０の前端４０ｂから離間した位置まで延びその前端４０ｂから離間した位置でノートＰＣ１の本体ユニット１０に固定される第１のＨＤＤ固定部４１ｂ，４１ｂ’を有する。
【００５１】
さらに、このＨＤＤ取付用部品４１は、一対の部品固定部４１ａ，４１ａ’に連続してＨＤＤ４０の後端４０ｃから離間した位置まで延びその後端４０ｃから離間した位置で本体ユニット１０に固定される第２のＨＤＤ固定部４１ｃを有する。
【００５２】
このＨＤＤ取付用部品４１は、ＨＤＤ４０の両側面４０ａ，４０ａ’に沿って延びそのＨＤＤ４０の高さ以下の幅を有する一対の部品固定部４１ａ，４１ａ’でＨＤＤ４０を固定するものであるため、ＨＤＤ取付用部品４１によりノートＰＣ１の厚みを増やさずに済む。従って、従来の、ＨＤＤの上面に天板を配備する技術と比較し、ノートＰＣ１の薄型化に寄与している。
【００５３】
また、このＨＤＤ取付用部品４１は、上述したように、一対の部品固定部４１ａ，４１ａ’に連続してＨＤＤ４０の前端４０ｂ，後端４０ｃから離間した位置まで延びた第１，第２のＨＤＤ固定部４１ｂ：４１ｂ’，４１ｃを有する。このため、図１１に示すように、いわゆるバネ性を有するたわみ腕Ａが形成されることとなり、従ってこのＨＤＤ取付用部品４１で固定されたＨＤＤ４０に外部から振動や衝撃が与えられた場合であっても、このたわみ腕Ａによりこれらの振動や衝撃を吸収することができる。また、これとは逆に、ＨＤＤ取付用部品４１で固定されたＨＤＤ４０が振動を発生しても、やはりこのたわみ腕Ａによりこの振動を吸収することができる。
【００５４】
さらに、一対の部品固定部４１ａ，４１ａ’は、ＨＤＤ４０の側面４０ａ，４０ａ’から離間して側面４０ａ，４０ａ’に沿って延びる第１部位４１ａ＿１，４１ａ’＿１と、第１部位４１ａ＿１，４１ａ’＿１から側面４０ａ，４０ａ’側に窪んで側面４０ａ，４０ａ’に接しＨＤＤ４０に締結される第２部位４１ａ＿２，４１ａ’＿２とを有するものでもある。このため、ＨＤＤ４０の側面４０ａ，４０ａ’が凸凹であったり公差が大きい場合であっても、これらの凸凹や公差を第１部位４１ａ＿１，４１ａ’＿１で吸収しつつ第２部位４１ａ＿２，４１ａ’＿２でＨＤＤ４０を確実に固定している。
【００５５】
ここで、上述したことを換言すれば、一対の部品固定部４１ａ，４１ａ’は、ＨＤＤ４０の側面４０ａ，４０ａ’に沿ってＨＤＤ４０の前端４０ｂから後端４０ｃにまで延びる側面沿線部位（第１部位４１ａ＿１，４１ａ’＿１と第２部位４１ａ＿２，４１ａ’＿２とで形成されている部位）と、その側面沿線部位に連続してＨＤＤ４０の前端４０ｂ側に折れ曲がりその前端４０ｂの一部を覆う前端側折曲部位（第１のＨＤＤ固定部４１ｂ，４１ｂ’）と、その側面沿線部位に連続してＨＤＤ４０の後端４０ｃ側に折れ曲がりその後端４０ｃの一部を覆う後端側折曲部位（第２のＨＤＤ固定部４１ｃ）とを有する。
【００５６】
また、第２のＨＤＤ固定部４１ｃは、一対の部品固定部４１ａ，４１ａ’の双方に連続した１つの部位からなるものである。さらに、第１のＨＤＤ固定部４１ｂ，４１ｂ’それぞれは、一対の部品固定部４１ａ，４１ａ’それぞれに連続した部位からなるものである。
［ヒンジ部材とパネル取付部材との接触構造］
図１２は、ノートＰＣの表示ユニットの前枠を外して示した図である。
【００５７】
図１２には、情報を表示する表示画面２１ａを有する表示パネル２１を備え、その表示画面２１ａの前面を露出した表示ユニット２０が示されている。また、表示ユニット２０を本体ユニット１０に開閉自在に連結するヒンジ部材３０が示されている。さらに、表示パネル２１の、表示ユニット２０への締結に介在するパネル取付部材５０が示されている。また、図１２には、後述する、表示パネル２１を点灯させるための回路基板６０も示されている。
【００５８】
図１３は、図１２に示すヒンジ部材およびパネル取付部材を拡大して示す斜視図である。
【００５９】
図１３には、ヒンジ部材３０が有するヒンジ締結部３１が示されている。このヒンジ締結部３１は、表示ユニット２０に締結されている。また、図１３には、パネル取付部材５０が有するパネル締結部５１が示されている。このパネル締結部５１は、表示パネル２１の側面に沿って延びてその側面に締結されている。
【００６０】
詳細には、パネル取付部材５０は、パネル締結部５１から本体ユニット１０側に延在し、ヒンジ締結部３１に隣接して配置され、そのヒンジ締結部３１とは独立に表示ユニット２０に締結されるパネル締結部５１を有する。また、このパネル締結部５１は、一部に、ヒンジ締結部３１側に延びてそのヒンジ締結部３１に表示画面２１ａの前面側から重なってヒンジ締結部３１に接触する舌片５１ａを有する。
【００６１】
このノートＰＣ１は、表示ユニット２０を本体ユニット１０に開閉自在に連結するヒンジ部材３０を、ヒンジ部材３０が有するヒンジ締結部３１で表示ユニット２０に締結し、また表示パネル２１ａの側面に締結されるパネル締結部５１を有するパネル取付部材５０を、ヒンジ締結部３１とは独立に表示ユニット２０に締結するものである。即ち、ヒンジ部材３０が有するヒンジ締結部３１とパネル取付部材５０が有するパネル締結部５１とを表示ユニット２０に別々に取り付ける構成である。また、パネル締結部５１は、上述した舌片５１ａを有する。この舌片５１ａは、図１３に示すように、ヒンジ締結部３１に接触するだけの小さな形状および小さな厚み寸法を有する。このため、表示ユニット２０の厚み方向の寸法が小さく抑えられており、従ってノートＰＣ１の薄型化に寄与している。また、表示パネル２１の交換にあたり、ヒンジ部材３０が有するヒンジ締結部３１を取り外す必要はなく、パネル取付部材５０が有するパネル締結部５１のみ取り外せば済む。
【００６２】
図１４は、表示ユニットから表示パネルを取り外す様子を示した図である。
【００６３】
表示ユニット２０から表示パネル２１を取り外す場合は、図１４に示すように、ヒンジ部材３０が有するヒンジ締結部３１を取り外す必要はなく、パネル取付部材５０が有するパネル締結部５１のみ取り外せば済む。従って、表示パネル２１の交換にあたり、ヒンジ部材３０の取付状態まで調整する必要を生じる恐れもなく、表示パネル２１を簡単に交換することができる。
【００６４】
また、ヒンジ部材３０が有するヒンジ締結部３１と、パネル取付部材５０が有するパネル締結部５１はいずれも導電性材料である金属からなり、舌片５１ａの接触により電気的に導通している。このため、本体ユニット１０と表示ユニット２０とのグランドの導通を舌片５１ａの接触により確保することができる。従って、電磁波ノイズや静電気ノイズの対策にあたり、別途、ガスケットや金属性のバネ等の導電部材を用いて本体ユニット１０と表示ユニット２０とのグランドを確保する必要はなく、従ってコストの低減化が図られている。尚、電磁波ノイズや静電気ノイズの対策にあたり、本体ユニット１０と表示ユニット２０とのグランドの導通を確保する必要がない場合も考えられる。このような場合、舌片５１ａは簡単に除去することができるため、本体ユニット１０と表示ユニット２０とのグランドの導通を簡単に遮断することができる。
【００６５】
また、表示ユニット２０は、表示パネル２１の周囲よりも大面積であってその表示パネル２１を収容する背面板２３（図１４参照）と、表示パネル２１の周囲を表示画面２１ａの前面側から覆う前枠２６（図１参照）とを有する。さらに、図１３に示すように、ヒンジ締結部３１は、ネジ部材３２で、背面板２３とヒンジ締結部３１とを前枠２６は別にしてネジ止めするための第１の孔３３ａと、ヒンジ締結部３１を背面板２３と前枠２６とで挟んだ状態で前枠２６を含めてネジ止めするための第２の孔３３ｂを有する。このため、ノートＰＣ１の組立てにあたり、第１の孔３３ａを使用して背面板２３とヒンジ締結部３１をネジで仮止めしておき、第２の孔３３ｂを使用してヒンジ締結部３１を背面板２３と前枠２６とで挟んだ状態で、前枠２６を含めて完全にネジ止めすることができる。従って、ノートＰＣ１を簡単に組み立てることができる。
【００６６】
さらに、図１３に示すように、パネル締結部５１は、ヒンジ締結部３１よりも本体ユニット１０側に回り込んで、ヒンジ締結部３１の、本体ユニット１０側に隣接した位置に配置されている。このため、十分に大きな表示パネル２１が表示ユニット２０に備えられている。
［ヒンジ部材とパネル取付部材とのクロス構造］
図１２，図１３，図１４を参照して説明したように、表示パネル２１が取り付けられたパネル取付部材５０は、表示パネル２１の側面に沿って本体ユニット１０側にまで延在し、表示ユニット２０に締結されるヒンジ締結部３１の本体ユニット１０側にまで回り込んでヒンジ締結部３１に隣接して配置され表示ユニット２０に締結されるパネル締結部５１を有する。このため、表示ユニット２０の側面に沿ってその表示ユニット２０の下部にまでパネル締結部５１が行き渡っており、本体ユニット１０に対して表示ユニット２０を開閉するにあたり、表示ユニット２０の下部にかかる大きな負荷は、パネル締結部５１で受けとめられることとなる。従って、ノートＰＣ１の薄型化を実現しつつ、表示ユニット２０の下部における強度が高められ、表示ユニット２０の下部が破損するということが防止されている。
【００６７】
また、図１３に示すように、ヒンジ部材３０は、回転軸を構成する軸部３３を有する。また、ヒンジ締結部３１は、その軸部３３の回転軸方向端縁に取り付けられその軸部３３よりも本体ユニット１０から離れる側に偏倚した位置で表示ユニット２０に締結されている。このため、表示パネル２１の締結に介在するパネル締結部５１を、ヒンジ締結部３１との干渉を避け本体ユニット１０側に近接した位置で表示ユニット２０に締結されている。
【００６８】
また、図１３に示すパネル締結部５１は、ヒンジ締結部３１の本体ユニット１０側に回り込み、軸部３３を回転軸方向に延長した位置で表示ユニット２０に締結されている。このため、ヒンジ部材３０の軸部３３の延長部分の強度がさらに高められ、表示ユニット２０をスムーズに開閉することができる。
【００６９】
さらに、ヒンジ締結部３１およびパネル締結部５１は、表示ユニット２０に互いに独立に締結されている。このため、前述したように、表示パネル２１の交換にあたり、パネル締結部３１のみ取り外せば済み、従って表示パネル２１を簡単に交換することができる。
【００７０】
また、パネル締結部５１は、ヒンジ締結部３１側に延びそのヒンジ締結部３１に表示画面２１ａの前面側から重なってヒンジ締結部３１に接触する舌片５１ａを有する。ここで、ヒンジ締結部３１とパネル締結部５１はいずれも金属からなり、舌片５１ａの接触により電気的に導通している。このため、本体ユニット１０と表示ユニット２０とのグランドの導通を舌片５１ａの接触により確保することができ、従って、電磁波ノイズや静電気ノイズの対策にあたり、別途、ガスケットや金属性のバネ等の導電部材を用いて本体ユニット１０と表示ユニット２０のグランドの接続を確保する必要はなく、コストの低減化が図られている。尚、電磁波ノイズや静電気ノイズの対策にあたり、本体ユニット１０と表示ユニット２０とのグランドの導通を確保する必要がない場合、舌片５１ａは簡単に除去することができるため、本体ユニット１０と表示ユニット２０とのグランドの導通を簡単に遮断することができる。
【００７１】
さらに、表示ユニット２０は、表示パネル２１よりも大面積であってその表示パネル２１を収容する背面板２３と、その表示パネル２１の周囲を表示画面２１ａの前面側から覆う前枠２６とを有する。また、ヒンジ締結部３１は、ネジ部材３２で、背面板２３とパネル締結部３１とを前枠２６は別にしてネジ止めするための第１の孔３３ａと、パネル締結部３１を背面板２３と前枠２６とで挟んだ状態で前枠２６を含めてネジ止めするための第２の孔３３ｂを有する。このため、ノートＰＣ１の組立てにあたり、第１の孔３３ａを使用して背面板２３とヒンジ締結部５１をネジ３２で仮止めしておき、第２の孔３３ｂを使用してヒンジ締結部３１を背面板２３と前枠２６とで挟んだ状態で前枠２６を含めて完全にネジ止めすることができる。従って、ノートＰＣ１を簡単に組み立てることができる。
［表示パネル点灯用回路基板の固定構造］
図１に示すノートＰＣの組立にあたり、ノートＰＣの機種や機能に見合った表示パネルを選択し、選択された表示パネルを表示ユニット２０に備えるということが行なわれる。具体的には、バックライト用の光を発する光源を一灯備えた第１の表示パネルと、バックライト用の光を発する光源を二灯備えた第２の表示パネルとの中から選択された一方の表示パネルを表示ユニット２０に備えるということが行なわれる。このため、第１の表示パネルが選択されるときに選択される相対的に小面積の第１の回路基板と、第２の表示パネルが選択されるときに選択される相対的に大面積の第２の回路基板とが用意される。
【００７２】
図１５は、相対的に小面積の第１の回路基板を表示ユニットから取り外して示す図である。
【００７３】
ここでは、表示パネル２１は、バックライト用の光を発する光源を一灯備えた第１の表示パネルに相当し、図１５には、この表示パネル２１を点灯させるための相対的に小面積の第１の回路基板６０が示されている。第１の回路基板６０には、一灯の光源の点灯を制御する複数の電子部品からなる点灯制御回路６１が搭載されている。
【００７４】
図１６は、バックライト用の光を発する光源を二灯備えた表示パネルを点灯させるための第２の回路基板を示す図である。
【００７５】
図１６に示す第２の回路基板７０には、二灯の光源の点灯を制御する複数の電子部品からなる点灯制御回路７１が搭載されている。即ち、第２の回路基板７０には二灯分の電子部品が搭載されているため、第２の回路基板７０は幅も長さも、第１の回路基板６０よりも大きな寸法を有する。なお、第１の回路基板６０、第２の回路基板７０ともに、基板の表面側に搭載されている部品の高さが基板の裏面側に搭載されている部品の高さよりも高いものとする。または、この基板において、その裏面側には、配線が形成されているだけで、部品が搭載されていないものであってもよい。
【００７６】
再び図１５に戻って説明を続ける。図１５に示す表示ユニット２０には、第１の回路基板６０を支持する第１の支持構造８１と、第２の回路基板７０を支持する第２の支持構造８２とを有する基板支持部８０が備えられている。
【００７７】
第１の支持構造８１は、第１の回路基板６０を、その第１の回路基板６０の表面を上に向けた状態で支持する支持爪８１ａを有する。また、第１の支持構造８１は、第１の回路基板６０の裏面を受け止める受止部８１ｂを有する。
【００７８】
一方、第２の支持構造８２は、第２の回路基板７０を、その第２の回路基板７０の表面を下に向けた状態で載せる台８２ａを有する。
【００７９】
図１７は、第１の支持構造の一部と第１の支持構造に支持された第１の回路基板の一部とを拡大して示す図である。
【００８０】
図１７に示す第１の回路基板６０は、その第１の回路基板６０の表面を上に向けた状態で、第１の支持構造８１が有する支持爪８１ａで支持されている。一方、第２の回路基板７０は、その第２の回路基板７０の表面を下に向けた状態で、第２の支持構造８２が有する台８２ａに載置される。
【００８１】
このように基板支持部８０は、相対的に小面積の第１の回路基板６０を支持する第１の支持構造８１と、相対的に大面積の第２の回路基板７０を支持する第２の支持構造８２とを有するものである。このため、第１の回路基板６０と第２の回路基板７０のうちのいずれの回路基板が選択された場合であっても、その選択された回路基板を、１つの基板支持部８０で支持することができる。従って、表示パネルを内蔵する表示ユニット２０に、第１の回路基板６０を支持するための基板支持部と第２の回路基板７０を支持するための基板支持部との双方を別々に備えた場合と比較し、表示ユニット２０のスペースが小さく抑えられている。
【００８２】
また、第１の回路基板６０が選択された場合は、第１の回路基板６０の表面を上に向けて第１の支持構造８１の爪８１ａで支持し、第２の回路基板７０が選択された場合は、第２の回路基板７０の表面を下に向けて第２の支持構造８２の台８２ａに載せて支持する。このようにすることにより、基板支持部８０の上下のスペースを有効に利用して、第１，第２の回路基板６０，７０のうちの選択されたいずれの回路基板であっても支持することができる。
【００８３】
また、表示ユニット２０は、表示パネルよりも大面積であって、その表示パネルを収容する背面板２３と、その表示パネルの周囲をその表示画面前面側から覆う前枠２６とを有し、基板支持部８０は、背面板２３の、表示パネルとの重なりを避けた位置に設けられている。このため、表示パネルと重なる位置に設けた場合と比べ、薄型化に寄与し、また基板支持部８０で支持された回路基板と表示パネルとの間は比較的短い配線で接続されている。
［ＣＤ／ＤＶＤドライブユニットの枠体とボタンの構造］
図１８は、ノートＰＣの開状態の左側面を見た斜視図、図１９は、ノートＰＣの本体ユニットに備えられたＣＤ／ＤＶＤドライブユニットを取り外して示す斜視図である。
【００８４】
図１８に示す本体ユニット１０の左側面には、ＣＤやＤＶＤ等の記憶媒体が装填され装着された記憶媒体をドライブするＣＤ／ＤＶＤドライブユニット１４が備えられている。
【００８５】
このＣＤ／ＤＶＤドライブユニット１４には、図１９に示す、記憶媒体が着脱自在に装填され装填された記憶媒体をドライブするトレイ１４１と、トレイ１４１をスライド自在に収納する収納体１４２が備えられている。また、このＣＤ／ＤＶＤドライブユニット１４には、トレイ１４１の、収納体１４２からスライドにより突出する側の前端面を覆い、ノートＰＣ１に装着されたときのそのノートＰＣ１の本体ユニット１０の一部を成す枠体１４３が備えられている。この枠体１４３は、後述する撓み部１４３ａを有する。また、この枠体１４３は、メンテナンス時には、工具を使って収納体１４２からスライドによりトレイ１４１を突出させるための開口１４３ｂを有する。さらに、図２０，図２１を参照して説明を続ける。
【００８６】
図２０は、トレイから枠体を取り外しその枠体の裏面を示した図、図２１は、枠体が取り外されたトレイの前端面を示す図である。
【００８７】
図２１に示すトレイ１４１の前面には、トレイ１４１が、このトレイ１４１の前端面に、押下を受けてこのトレイ１４１を収納体１４２からスライドにより突出させるためのボタン１４１ａが備えられている。また、枠体１４３の撓み部１４３ａは、図２０に示すように、枠体１４３の、トレイ１４１側を向いた裏面に、トレイ１４１に向いて突出し先端がボタン１４１ａに近接した位置にある突起１４３ｃを有し、外側を向いた表面側からの押下を受けてトレイ１４１側に撓んで突起１４３ａの先端でボタン１４１ａを押す。これにより、収納体１４２からスライドによりトレイ１４１が突出する。ここで、トレイ１４１側に撓む撓み部１４３ａ、およびボタン１４１ａを押下する突起１４３ｃは枠体１４３に設けられており、枠体１４３は一体成形されている。従って、コストの低減化が図られている。また、トレイ１４１に備えられたボタン１４１ａは、枠体１４３の裏面に設けられた突出してなる突起１４３ｃの先端で押下される。このため、トレイ１４１は枠体１４３から十分に奥まった位置に配置されている。従って、枠体１４３がトレイ１４１側に撓んでも、その隙間からトレイ１４１が見え難くなっており、外観性が損なわれるということが防止されている。
【００８８】
さらに詳細には、図２０に示すように、枠体１４３は、突起１４３ｃを取り巻いて一周に渡って周回して撓み部１４３ａを画定する輪郭線に沿って、その輪郭線の一部領域を除いた領域に延在する、枠体１４３の表裏面に貫通するスリット１４３ｄを有する。また、撓み部１４３ａは、押下を受けて、上記一部領域で弾性的に折れ曲がるように撓むようになっている。このため、枠体１４３の撓み部１４３ａは簡単に形成されている。
【００８９】
また、枠体１４３は、トレイ１４１側の裏面に立設し、このトレイ１４１の前端面に当接するリブ１４３ｅを有する。このため、枠体１４３の強度を高めたまま、枠体１４３の軽量化および材料費の削減化が図られている。
【００９０】
さらに、枠体１４３は、撓み部１４３ａを含む全体が一体成形された樹脂モールド品からなるものである。このため、ＣＤ／ＤＶＤドライブユニット１４の製造コストの削減化が図られている。
［放熱ユニットの構造］
図２２は、本体ユニットに備えられた放熱ユニットの斜視図、図２３は、図２２に示す放熱ユニットを裏面からみた図、図２４は、図２３に示す放熱ユニットの分解斜視図である。
【００９１】
図２２に示す放熱ユニット９０は、本体ユニット１０の、ＣＰＵ等の発熱部品が搭載された回路基板１００上に配備されている。この放熱ユニット９０には、送風用のファン９１と、通過する空気に熱を渡す複数の放熱フィン９２ａが配列されてなる金属製の放熱部材９２が備えられている。
【００９２】
また、この放熱ユニット９０は、図２３，図２４に示すように、ファン９１が固定されるファン固定部９３と、そのファン固定部９３と空気吹出口１０１（図２２参照）との間であって回路基板１００上において下方に開口し放熱部材９２を回路基板１００側に付勢する放熱部材付勢部９４とを有し本体ユニット１０とともに空気流路を形成する金属製の支持部材９５を備えている。
【００９３】
ここで、放熱部材９２は、下面に、回路基板１００上の第１の発熱部品上面に接してその第１の発熱部品から吸熱する吸熱部９２ａを有する。
【００９４】
また、支持部材９５は、回路基板１００上の、第１の発熱部品とは上面の高さが異なる第２の発熱部品上面に延びてその第２の発熱部品上面に接しその第２の発熱部品から吸熱する吸熱アーム９５ａを有する。
【００９５】
この放熱ユニット９０では、第１の発熱部品からの発熱は放熱部材９２の吸熱部９２ａで吸熱されるとともに、第１の発熱部品とは上面の高さが異なる第２の発熱部品からの発熱は支持部材９５の吸熱アーム９５ａで吸熱される。従って、簡単な構成で、上面の高さが異なる第１，第２の発熱部品からの発熱を吸熱することができる。
【００９６】
また、放熱部材付勢部９４は、第１の発熱部品上面に押し当て得るだけの変形ストロークを有する板バネ９４ａを備えている。このため、放熱部材９２は第１の発熱部材上面に確実に押し当てられている。
【００９７】
ここで、図１に示すノートＰＣの組立にあたり、第１の発熱部品として、高さが異なる複数種類の発熱部品（例えばＣＰＵ）の中からノートＰＣの機種や機能に見合った第１の発熱部品を選択し、選択された第１の発熱部品を回路基板１００に実装するということが行なわれる場合がある。このような場合であっても、板バネ９４ａで、その選択された第１の発熱部品上面に放熱部材９２を確実に押し当てることができる。
【００９８】
また、上述したように、放熱部材９２および支持部材９５は、いずれも金属製の部材であるため、上面の高さが異なる第１，第２の発熱部品からの発熱を十分に吸熱することができる。
【図面の簡単な説明】
【００９９】
【図１】ノートＰＣの外観を示す、開状態の斜視図である。
【図２】図１に示すノートＰＣの閉状態の斜視図である。
【図３】図１に示すノートＰＣの閉状態の底面側を見た斜視図である。
【図４】ノートＰＣの本体ユニットの底面の一部を、電池を外して示した図である。
【図５】本体ユニットの底面の一部を、電池およびＨＤＤ収納部用カバーを外して示した図である。
【図６】ＨＤＤ収納部用カバーが有する爪部を拡大して示す図である。
【図７】ＨＤＤ収納部用カバーが有する係合部を拡大して示す図である。
【図８】図３に示すノートＰＣとは異なるノートＰＣの、閉状態の底面側を見た斜視図である。
【図９】図８に示すノートＰＣの本体ユニット底面を、電池とＨＤＤ収納部用カバーとメモリ基板収納部用カバーとを外して示した図である。
【図１０】ＨＤＤ取付用部品が取り付けられたＨＤＤを表面からみた斜視図である。
【図１１】ＨＤＤ取付用部品が取り付けられたＨＤＤを裏面からみた斜視図である。
【図１２】ノートＰＣの表示ユニットの前枠を外して示した図である。
【図１３】図１２に示すヒンジ部材およびパネル取付部材を拡大して示す斜視図である。
【図１４】表示ユニットから表示パネルを取り外す様子を示した図である。
【図１５】相対的に小面積の第１の回路基板を表示ユニットから取り外して示す図である。
【図１６】バックライト用の光を発する光源を二灯備えた表示パネルを点灯させるための第２の回路基板を示す図である。
【図１７】第１の支持構造の一部と第１の支持構造に支持された第１の回路基板の一部とを拡大して示す図である。
【図１８】ノートＰＣの開状態の左側面を見た斜視図である。
【図１９】ノートＰＣの本体ユニットに備えられたＣＤ／ＤＶＤドライブユニットを取り外して示す斜視図である。
【図２０】トレイから枠体を取り外しその枠体の裏面を示した図である。
【図２１】枠体が取り外されたトレイの前端面を示す図である。
【図２２】本体ユニットに備えられた放熱ユニットの斜視図である。
【図２３】図２２に示す放熱ユニットを裏面からみた図である。
【図２４】図２３に示す放熱ユニットの分解斜視図である。
【符号の説明】
【０１００】
１  ノートＰＣ
１０  本体ユニット
１０ａ  電池収納部
１０ｂ  ＨＤＤ収納部
１０ｃ  メモリ基板基板収納部
１１  キーボード
１２  トラックパッド
１３  係合穴
１４  ＣＤ／ＤＶＤドライブユニット
１５  電池
１６  ＨＤＤ収納部用カバー
１６ａ  爪部
１６ｂ  爪係合部
１７，１８  メモリ基板収納部用カバー
１９  メモリ基板
１９ａ  メモリ
２０  表示ユニット
２１  表示パネル
２１ａ  表示画面
２３  背面板
２６  前枠
３０  ヒンジ部材
３１  ヒンジ締結部
３２  ネジ部材
３３  軸部
３３ａ  第１の孔
３３ｂ  第２の孔
４０  ＨＤＤ
４０ａ，４０ａ’  側面
４０ｂ  前端
４０ｃ  後端
４１  ＨＤＤ取付用部品
４１ａ，４１ａ’  部品固定部
４１ａ＿１，４１ａ’＿１  第１部位
４１ａ＿２，４１ａ’＿２  第２部位
４１ｂ，４１ｂ’  第１のＨＤＤ固定部
４１ｃ  第２のＨＤＤ固定部
５０  パネル取付部材
５１  パネル締結部
５１ａ  舌片
６０  第１の回路基板
６１，７１  点灯制御回路
７０  第２の回路基板
８０  基板支持部
８１  第１の支持構造
８１ａ  支持爪
８１ｂ  受止部
８２  第２の支持構造
８２ａ  台
９０  放熱ユニット
９１  ファン
９２  放熱部材
９２ａ  放熱フィン
９２ｂ  吸熱部
９３  ファン固定部
９４  放熱部材付勢部
９４ａ  板バネ
９５  支持部材
９５ａ  吸熱アーム
１００  回路基板
１０１  空気吹出口
１４１  トレイ
１４１ａ  ボタン
１４２  収納体
１４３  枠体
１４３ａ  撓み部
１４３ｂ  開口
１４３ｃ  突起
１４３ｄ  スリット
１４３ｅ  リブ
２２１  フック
２２２  ロック解除用の操作子
【図１】
0004829189.tif 000002
【図２】
0004829189.tif 000003
【図３】
0004829189.tif 000004
【図４】
0004829189.tif 000005
【図５】
0004829189.tif 000006
【図６】
0004829189.tif 000007
【図７】
0004829189.tif 000008
【図８】
0004829189.tif 000009
【図９】
0004829189.tif 000010
【図１０】
0004829189.tif 000011
【図１１】
0004829189.tif 000012
【図１２】
0004829189.tif 000013
【図１３】
0004829189.tif 000014
【図１４】
0004829189.tif 000015
【図１５】
0004829189.tif 000016
【図１６】
0004829189.tif 000017
【図１７】
0004829189.tif 000018
【図１８】
0004829189.tif 000019
【図１９】
0004829189.tif 000020
【図２０】
0004829189.tif 000021
【図２１】
0004829189.tif 000022
【図２２】
0004829189.tif 000023
【図２３】
0004829189.tif 000024
【図２４】
0004829189.tif 000025